(57)【要約】【課題】中継ぎ部を適正幅まで細くすることができると共に中継ぎ部に十分な形状保持性を確保することができるニットタイを提供する。【解決手段】丸編機で編成される筒状編地によって形成されており、大剣部１１、中継ぎ部１２及び中継ぎ部１２と同一幅の小剣部１３とから構成されている。大剣部１１の編地部分は、綿糸４０／２を使用したジャガード編みによって編成された編組織を有しており、度目を大きくすることによって幅広に形成されていると共に、締めたときにノットとなる大剣部１１の基端部１１ａの編地部分には、弾性糸がコース方向に挿入されている。中継ぎ部１２及び小剣部１３の編地部分は、大剣部１１の編地部分を編成している編糸より細い綿糸８０／２を使用したリブ編みによって編成された編組織を有しており、大剣部１１の編地部分よりも度目を小さくし、弾性糸をコース方向に挿入することによって、大剣部１１よりも幅狭に形成されている。【選択図】        図１
0003183597.tif 000002
【実用新案登録請求の範囲】
【請求項１】
丸編機で編成された筒状編地によって大剣部、中継ぎ部及び小剣部が形成されたニットタイにおいて、
前記中継ぎ部を形成している編地部分は、前記大剣部を形成している編地部分を編成している編糸よりも細い編糸によって編成されていると共に、前記大剣部を形成している編地部分よりも度目が小さくなっており、
前記中継ぎ部を形成している編地部分には、編目を作らずにコース方向に弾性糸が挿入されていることを特徴とするニットタイ。
【請求項２】
締めたときにノットとなる部分を形成している編地部分には、編目を作らずにコース方向に弾性糸が挿入されている請求項１に記載のニットタイ。
【考案の詳細な説明】
【技術分野】
【０００１】
この考案は、丸編機で編成された筒状編地によって形成されたニットタイに関する。
【背景技術】
【０００２】
丸編機で編成される筒状編地によって形成されたニットタイとしては、例えば、図４に示すようなものがある。このニットタイ５０は、同図に示すように、通常のネクタイと同様に、大剣部５１、中継ぎ部５２及び小剣部５３とから構成されており、丸編機を用いて、編糸を切り替えながら度目を変化させることによって、大剣部５１となる幅広で編目の粗い編地部分、中継ぎ部５２となる幅狭で編目の細かい編地部分及び小剣部５３となる中間幅で編目の粗い編地部分が繋がった一連の筒状編地を編成した後、大剣部５１及び小剣部５３の剣先となる筒状編地の両端開口部を中表に縫合することによって製造される。
【先行技術文献】
【特許文献】
【０００３】
【特許文献１】特開平１１−３１５４０９号公報
【考案の概要】
【考案が解決しようとする課題】
【０００４】
しかしながら、上述したニットタイ５０は、編糸の太さと度目とを変化させることによって、大剣部５１、中継ぎ部５２及び小剣部５３のそれぞれに対応する部分の編地幅を調整しているだけなので、幅広の大剣部５１に対して中継ぎ部５２の幅を狭めようとしても限界があり、大剣部５１の幅を広くすると、中継ぎ部５２を適正幅まで細くすることができないと共に、編地自体がしっかりしていないので、締める際に最も力の加わる中継ぎ部５２に十分な形状保持性を確保することができないといった問題もある。
【０００５】
そこで、この考案の課題は、中継ぎ部を適正幅まで細くすることができると共に中継ぎ部に十分な形状保持性を確保することができるニットタイを提供することにある。
【課題を解決するための手段】
【０００６】
上記の課題を解決するため、請求項１に係る考案は、丸編機で編成された筒状編地によって大剣部、中継ぎ部及び小剣部が形成されたニットタイにおいて、前記中継ぎ部を形成している編地部分は、前記大剣部を形成している編地部分を編成している編糸よりも細い編糸によって編成されていると共に、前記大剣部を形成している編地部分よりも度目が小さくなっており、前記中継ぎ部を形成している編地部分には、編目を作らずにコース方向に弾性糸が挿入されていることを特徴とするニットタイを提供するものである。
【０００７】
また、請求項２に係る考案は、請求項１に係る考案のニットタイにおいて、締めたときにノットとなる部分を形成している編地部分には、編目を作らずにコース方向に弾性糸が挿入されていることを特徴としている。
【考案の効果】
【０００８】
以上のように、請求項１に係る考案のニットタイは、中継ぎ部を形成している編地部分が、大剣部を形成している編地部分を編成している編糸よりも細い編糸によって編成されていると共に、大剣部を形成している編地部分よりも度目が小さくなっており、さらに、中継ぎ部を形成している編地部分には、編目を作らずにコース方向に弾性糸が挿入されているので、細い編糸を使用して度目を小さくすることによって、筒状編地における中継ぎ部となる部分を幅狭に形成している従来のニットタイとは異なり、大剣部をある程度太くしても中継ぎ部を適正幅まで細くすることができる。
【０００９】
また、中継ぎ部を形成している編地部分に弾性糸を挿入することにより、中継ぎ部を形成している編地自体がしっかりするので、締める際に最も力の加わる中継ぎ部に十分な形状保持性を確保することができる。
【００１０】
また、請求項２に係る考案のニットタイは、締めたときにノットとなる部分を形成している編地部分に、編目を作らずにコース方向に弾性糸が挿入されているので、ノットとなる部分の編地がしっかりとし、締めたときにノットを綺麗に仕上げることができる。
【図面の簡単な説明】
【００１１】
【図１】この考案に係るニットタイの一実施形態を示す平面図である。
【図２】他の実施形態であるニットタイを示す平面図である。
【図３】他の実施形態であるニットタイを示す平面図である。
【図４】従来のニットタイを示す平面図である。
【考案を実施するための形態】
【００１２】
以下、実施の形態について図面を参照して説明する。図１は、本考案のニットタイの一実施形態を示している。同図に示すように、このニットタイ１は、ダブルシリンダタイプの丸編機で編成される筒状編地によって形成されており、大剣部１１、中継ぎ部１２及び中継ぎ部１２と同一幅の小剣部１３とから構成されている。
【００１３】
前記大剣部１１を形成している編地部分は、地糸（グランド糸）として綿糸４０／２を使用したジャガード編みによって編成された編組織を有しており、度目を大きくすることによって幅広に形成されていると共に、締めたときにノット（結び目）となる大剣部１１の基端部１１ａを形成している編地部分には、ポリウレタン弾性繊維やゴム糸等からなる芯糸に他の紡績糸やフィラメント糸を巻き付けたＤＣＹ（ダブルカバーリングヤーン）やＳＣＹ（シングルカバーリングヤーン）といった弾性糸が、編目を作らずにコース方向に挿入されている。なお、図１における横縞表示部分が弾性糸が挿入されている部分を示している。
【００１４】
一方、前記中継ぎ部１２及び小剣部１３を形成している編地部分は、地糸（グランド糸）として、大剣部１１の編地部分を編成している編糸より細い綿糸８０／２を使用したリブ編みによって編成された編組織を有しており、大剣部１１の編地部分よりも度目を小さくし、さらに、上述したＤＣＹやＳＣＹ等の弾性糸を、編目を作らずにコース方向に挿入することによって、大剣部１１よりも幅狭（大剣部の幅の５４％程度）に形成されている。
【００１５】
前記大剣部１１の剣先は、扁平に折り畳んだ筒状編地の開口端を三角形状に切断し、中表に縫合することによって三角形に形成されているが、小剣部１３の剣先は、扁平に折り畳んだ筒状編地の開口端を長手方向に直交する方向に切断し、中表に縫合することによって角形に形成されている。
【００１６】
以上のように、このニットタイ１は、中継ぎ部１２を形成している編地部分が、大剣部１１の編地部分を編成している編糸よりも細い編糸によって編成されていると共に、大剣部１１の編地部分よりも度目が小さくなっており、さらに、中継ぎ部１２の編地部分には、編目を作らずにコース方向に弾性糸が挿入されているので、細い編糸を使用して度目を小さくすることによって、筒状編地における中継ぎ部となる部分を幅狭に形成している従来のニットタイとは異なり、大剣部１１をある程度太くしても中継ぎ部１２を適正幅まで細くすることができる。
【００１７】
また、中継ぎ部１２を形成している編地部分に弾性糸を挿入することにより、中継ぎ部１２を形成している編地自体がしっかりするので、締める際に最も力の加わる中継ぎ部１２に十分な形状保持性を確保することができる。
【００１８】
また、このニットタイ１は、締めたときにノットとなる大剣部１１の基端部１１ａを形成している編地部分に、編目を作らずにコース方向に弾性糸が挿入されているので、ノットとなる部分の編地がしっかりとし、締めたときにノットを綺麗に仕上げることができる。
【００１９】
また、このニットタイ１は、扁平に折り畳んだ筒状編地によって大剣部１１、中継ぎ部１２及び小剣部１３が形成されており、しかも、筒状編地の開口端をそれぞれ中表に縫合することによって大剣部１１及び小剣部１３の剣先が形成されているので、表裏の区別がなく、例えば、表裏を同一柄にしておくと、表裏を意識することなく締めることができ、表裏を異なる柄にしておくと、リバーシブルのニットタイとして使用することができる。
【００２０】
なお、上述した実施形態では、小剣部１３を中継ぎ部１２と同一幅にしているが、これに限定されるものではなく、例えば、図２に示すニットタイ２のように、小剣部１３Ａを形成している編地部分に弾性糸を挿入しないでおくことにより、小剣部１３Ａを中継ぎ部１２より幅広にしたり、図３に示すニットタイ３のように、小剣部１３Ｂを形成している編地部分を、大剣部１１を形成している編地部分と同一の編糸を使用して同一の度目になるように編成した状態で弾性糸を挿入することによって、小剣部１３Ｂを中継ぎ部１２より幅広にすることも可能である。なお、図２及び図３における横縞表示部分が弾性糸が挿入されている部分を示している。
【００２１】
また、上述した実施形態では、綿糸４０／２を用いたジャガード編みによって大剣部１１を編成すると共に、綿糸８０／２を用いたリブ編みによって中継ぎ部１２及び小剣部１３を編成しているが、中継ぎ部の編地部分が大剣部の編地部分よりも細い編糸によって編成されていればよく、筒状編地の編糸の種類や太さ、編組織については特に限定されない。
【産業上の利用可能性】
【００２２】
本考案は、丸編機で編成された筒状編地によってニットタイを製造する場合に利用することができる。
【符号の説明】
【００２３】
１、２、３  
１１  大剣部
１１ａ  基端部
１２  中継ぎ部
１３、１３Ａ、１３Ｂ  小剣部
【図１】
0003183597.tif 000003
【図２】
0003183597.tif 000004
【図３】
0003183597.tif 000005
【図４】
0003183597.tif 000006